(57)【特許請求の範囲】
【請求項１】
ケース（１）であって、
ｉ）１つ以上の製品を含むための、１つ以上の区画（３、４）を規定する本体（２）と、
ｉｉ）本体に対して動くことができる、ケースを閉止するための蓋（２０）と、
ｉｉｉ）製品を塗布するための、１つ以上のアプリケータ（７；７、８）とを備え、
該１つ以上のアプリケータは、本体に着脱できるように連結可能で、蓋は閉止位置にあるケースを開放可能にロックするために、相補手段（１４、１７）と協働するロック手段（２２、２３）を有し、該相補手段（１４、１７）は該１つ以上のアプリケータ（７；７、８）から形成されており、１つ以上のアプリケータ（７；７、８）が、ロック手段（２２、２３）を相補手段（１４、１７）に嵌合できる第１の位置から、ロック手段（２２、２３）を相補手段（１４、１７）に嵌合できない第２の位置へ移ることができることを特徴とするケース（１）。
【請求項２】
第１の位置では、１つ以上のアプリケータ（７；７、８）の少なくとも一部分が１つ以上の区画（３、４）を少なくとも部分的に覆い、第２の位置では、１つ以上のアプリケータ（７；７、８）が１つ以上の区画から離れていることを特徴とする請求項１に記載のケース（１）。
【請求項３】
１つ以上のアプリケータ（７；７、８）が第１の位置にあるとき、１つ以上のアプリケータ（７；７、８）を本体（２）から分離させるための動きが本質的に可能であることを特徴とする請求項１または２に記載のケース（１）。
【請求項４】
第１の位置から第２の位置への移行、およびその逆は、本体（２）により画定される１つ以上の区画（３、４）の開口部を含む平面に垂直な軸（１５、１８）を中心とする回転運動により行われることを特徴とする請求項１ないし３のいずれか１項に記載のケース（１）。
【請求項５】
蓋（２０）の内側の表面に鏡（２１）を有することを特徴とする請求項１ないし４に記載のケース（１）。
【請求項６】
２つのアプリケータ（７、８）を有することを特徴とする請求項１ないし５のいずれか１項に記載のケース（１）。
【請求項７】
両方のアプリケータは本体（２）に着脱できるように連結可能で、各アプリケータは蓋（２０）の対応するロック手段（２２、２３）と協働できる相補手段（１４、１７）を有し、それにより閉止位置でケースを開放可能にロックすることができることを特徴とする請求項６に記載のケース（１）。
【請求項８】
ケースは軸Ｘに沿って細長い形状を有し、ケースが閉止位置にあるとき、１つ以上のアプリケータ（７；７、８）はこの軸Ｘに沿った方向に配設されることを特徴とする請求項１ないし７のいずれか１項に記載のケース（１）。
【請求項９】
前記１つ以上のアプリケータ（７；７、８）は柄（９、１１）を有し、その端部には、細いブラシ、発泡体ブロック、太いブラシ、フェルト、またはエラストマー材料からなる要素として与えられる塗布要素（１０、１２）が形成されていることを特徴とする請求項１ないし８のいずれか１項に記載のケース（１）。
【請求項１０】
ケース（１）であって、
ｉ）１つ以上の製品を含むための、１つ以上の区画（３、４）を規定する本体（２）と、
ｉｉ）本体に対して動くことができる、ケースを閉止するための蓋（２０）と、
ｉｉｉ）製品を塗布するための２つのアプリケータ（７、８）とを備え、
第１のアプリケータは本体（２）に着脱できるように連結可能で、蓋（２０）は閉止位置にあるケースを開放可能にロックするために第１の相補手段と協働する第１のロック手段を有し、第１の相補手段は第１のアプリケータから形成され、第２のアプリケータは蓋（２０）に着脱できるように連結可能で、本体（２）は閉止位置にあるケースを開放可能にロックするために第２の相補手段と協働する第２のロック手段を有し、第２の相補手段は第２のアプリケータから形成されることを特徴とするケース（１）。
【発明の詳細な説明】
【０００１】
【発明の属する技術分野】
本発明は、特にアイシャドウ、頬紅、口紅、マスカラ、またはファンデーションなどの特定のメークアップ製品を包装および塗布するために、化粧品の分野で用いられるケースに関する。
【０００２】
【従来の技術および発明が解決しようとする課題】
一般的に、メークアップ製品は、アプリケータを用いて、または直接的に指で、塗布される。アプリケータはサイズが比較的小さいので、特にハンドバックの中では、アプリケータを探すのが困難な場合がある。さらに、ハンドバックの中には、ほこり、または他のゴミがあるので、それらから保護する必要がある。その上、アプリケータに製品が残留している場合、 アプリケータがハンドバックの中身を汚さないようにしなくてはならない。これらの理由から、アプリケータは多くの場合、独立した区画、または塗布する製品を包装するための組立体（特にケース）の一部を形成する区画内部に保護されている。後者の場合、ケースのサイズが過度に大きくならないようにアプリケータは非常に小さいが、そのために取り扱いがより困難になる。
【０００３】
製品を指で直接的に塗布する場合、塗布した後手を洗うために、消費者は水道の近くにいなくてはならない。
化粧品の分野で普通使われているメークアップケースの多くには、製品収容容器に対面するように凹部が配設されており、そこに１つ以上の取り外し可能なアプリケータが収容され、ユーザはアプリケータを用いて１回分の製品を取り、それを所望の位置に移すことにより、製品を塗布する。そのようなアプリケータは一般的に、例えば繊維の束、または発泡体、あるいは随意でフロックコーティングした織布または不織布からなるチップなどの塗布要素を備える。
【０００４】
そのようなメークアップケースは、例えばＦＲ―A―２５８４５８２に開示されている。この文献に記述されているメークアップケースは、ユーザがアプリケータを使用後にケースの中に戻すことを忘れることがあるために、大きな欠点を有する。そうなると、次に使用するときに、ユーザは製品を塗布するために利用可能な手段がなにもないことになっている。
【０００５】
ＥＰ―０９６０５８２は、この問題を解決しようとして、アプリケータの柄で蓋の一部を形成している。したがって、理論上、アプリケータが蓋の位置に確実に戻っていないとアプリケータを閉じることは不可能である。柄の一部と、対応するケースの本体一部が協働することにより、ケースは閉じた位置でロックされる。
この構造の大きな欠点は、アプリケータの幅が比較的広くなってしまうことと（典型的にはケースの幅と同じ）、ケースの長さの一部分とすることしかできないために、柄が比較的短くなってしまうことである。柄の長さは典型的にはケースの軸方向の長さの半分に一致する。
【０００６】
しかし、特にメークアップの分野では、メークアップ制御の向上、およびアプリケータの容易な把握のためには、細長いアプリケータが有利であることが証明されている。
同様の問題が米国特許第６０７３６３４号に開示された構造でも起こる。
【０００７】
米国特許第５０３１６４７号は化粧品のサンプルアプリケータについて開示している。この文献に記述されている構造は、連結された２つの部分から成るため、特にアプリケータを取り扱うときに問題がおきる。これがアプリケーションの制御の妨げとなる。
ＤＥ−Ａ―８９０１８７４は、その上に化粧品が提供される支持体を有するケースについて開示している。このケースは、回転軸を中心にして支持体に嵌合する蓋を有する。支持体はアプリケータを凹部内に収容するためにある。蓋を、支持体を覆う閉止位置から、製品に接触できる開放位置へ変えるために、蓋を支持体に対して回転させる。閉止位置がロックされないために蓋をうっかり開けることがあるため、このタイプのケースは問題が起こる。さらに、閉止位置では、アプリケータの一部は支持体の上面から接触可能で、意図された回転運動と逆の方向へ蓋を押圧できるレバーアームを形成する。
【０００８】
したがって、本発明の目的は、従来の装置に関して上述した問題の全部または一部を解決する、包装および塗布のためのケース形状の組立体を提供することである。
特に、本発明の目的は、アプリケータを置き忘れる危険性を実質的に低減させるケースを提供することである。
本発明の別の目的は、扱いが容易で、そして塗布の正確さを向上できるアプリケータを含むケースを提供することである。
【０００９】
本発明のまた別の目的は、経済的に製造でき、使用が簡単で、斬新なデザインを有するケースを提供することである。
その他の目的は、以下の詳細な記述から明らかにする。
【００１０】
【課題を解決するための手段】
本発明にしたがって、特に化粧製品のためのケースであって
ｉ）１つ以上の製品を含むための、１つ以上の区画を規定する本体と、
ｉｉ）本体に対して動くことができる、ケースを閉止するための蓋と、
ｉｉｉ）製品を塗布するための、１つ以上のアプリケータと
を備え、該１つ以上のアプリケータは、本体または蓋の一方に着脱できるように連結可能で、本体または蓋の他方は、閉止位置のケースを開放可能にロックするために、相補手段と協働するロック手段を有し、該相補手段は該１つ以上のアプリケータから形成されており、この１つ以上のアプリケータは、蓋が本体上の所定の位置にロックされたときはケースの内部に完全に収容されるケースを製造することにより、上述の目的の全部、または一部が達成される。
換言すれば、そして前述の出願ＥＰ―０９６０５８２号とは反対に、アプリケータは、アプリケータが連結する要素（蓋または本体）の一部分を形成することはなく、本体とその上の蓋は一体で、アプリケータから完全に独立している。
【００１１】
本発明によるケースのそのような構造の場合、該１つ以上のアプリケータの長さ、または太さに関して、実質的に限定がない（物体の性質そのもの、および使用される状況による必然的な制約は除く）。１つ以上のアプリケータの長さがケースの長さとほぼ同じであることは実用的である。その幅は自由に選択することができる。
閉止位置でケースをロックさせるために蓋（または本体）を１つ以上のアプリケータに嵌合させるので、戻し忘れた場合には本体を正しく閉止することができないため、アプリケータをケースの中に戻し忘れることはありえない。
【００１２】
閉止位置では、蓋が本体に完全に重なり、そのために蓋に遮られて製品を収容している区画に接触できないようになっている。蓋を本体にロックし、そしてその閉止位置を維持するために、１つ以上のアプリケータを本体（または蓋）に連結させる必要がある。
ケースを開けたとき、ケースのロック手段は１つ以上のアプリケータにより形成される相補手段から解放される。該ロック手段は着脱可能に連結されているケースの一部に取り付けられたままとなる。
【００１３】
１つ以上のアプリケータは好ましくは着脱可能に本体に連結されている。必要であれば鏡を取り付けるために、蓋の内面に最大領域を残しておけるので、この解決法は有利である。また、１つ以上のアプリケータを蓋に連結させ、本体の一部に鏡をつけてもよい。
好ましくは、「ケースの中に完全に収容される」という表現は、「ケースの外側から接触できない」ということを意味し、言い換えれば、「ケースを開けるための操作をすべてまたは部分的に行わない限り使用することができない」ということである。
【００１４】
好ましくは、蓋は本体に関節結合されている。関節結合は、例えばフィルムヒンジ、または追加のピンによる関節結合により行われる。ケースが軸Ｘ方向に細長い形状の場合は、関節結合は好ましくは長い方の主軸Ｘに垂直な軸を中心にして行われる。
或いは、関節結合は主軸Ｘに平行な軸を中心に行うこともできる。
【００１５】
この関節結合は、好ましくはケースの本体により形成される平面に垂直でない軸Ｘを中心にして行われる。主軸Ｘをこの面内に規定する。例えば、この面を本体の上面と規定し、製品をその高さまで区画内に収容する。
ロック手段を１つ以上のアプリケータの相補手段と嵌合させるときの本体に対する蓋の動きの方向と同一の方向に、１つ以上のアプリケータを本体（または蓋）に対して動かすと、１つ以上のアプリケータを本体（または蓋）から分離させることができる。ケースが本体に関節結合されている蓋を備える場合には、この方向は実質的にケースの閉止面、すなわち、製品を含む単数または複数の区画の開口部が広がる面に垂直な方向である。
【００１６】
このケースの例では、１つ以上のアプリケータを本体（または蓋）から分離させるために必要な力は、ケースを開けるために必要な力より大きくなるように選択する。
１つ以上のアプリケータを、インターロック、またはスナップ締結により本体（または蓋）に連結させることができる。例えば、それぞれのアプリケータには、ケースの本体（または蓋）から突出する対応するスタッドが緊密に嵌合することができる穴を設けることができる。
【００１７】
同様に、本体（または蓋）のロック手段は、１つ以上のアプリケータの相補手段と、インターロック、またはスナップ締結により嵌合することができる。
したがって、１つ以上のアプリケータには、蓋（または本体）から突出する対応するスタッドが緊密に嵌合することができる穴を設けることができる。１つ以上のアプリケータを本体（または蓋）上に取り付けるための穴は、蓋（または本体）をアプリケータ上にロックするための穴とは異なってよい。
【００１８】
別の形態では、同じ穴が用いられる。該穴はアプリケータの柄の全厚さを貫通しており、各スタッドの高さは、柄の厚さのほぼ半分に対応している。しかしこの場合、ロック手段となるケースの１部分であるスタッドの断面は、好ましくは、アプリケータが連結されるスタッドの断面より僅かに小さく、よって蓋を開けたときも１つ以上のアプリケータが該部分に固定される。
他の実施形態では、該１つ以上のアプリケータは本体（または蓋）上に取り外し可能に取り付けられる。アプリケータを取り外す際は、蓋（または本体）のロック手段を１つ以上のアプリケータの相補手段に嵌合させるとき、本体に対して蓋を動かす方向以外の方向に、アプリケータを本体（または蓋）に対して動かす。
【００１９】
該１つ以上のアプリケータを本体（または蓋）から分離させるための動きは、蓋（または本体）のロック手段を１つ以上のアプリケータの相補手段と嵌合させるときの、本体に対する蓋の動きの方向に垂直な方向の動きであってもよい。
好ましくは、１つ以上のアプリケータを本体（または蓋）から分離するための動きは、蓋と本体の関節結合軸に平行な方向の動きである。
【００２０】
或いは、１つ以上のアプリケータを本体（または蓋）から分離させるための動きは、蓋と本体の関節結合軸に垂直な方向の動きである。
有利には、１つ以上のアプリケータと蓋が本体に連結しているとき、１つ以上のアプリケータは、ケースを閉止位置でロックするために蓋のロック手段を１つ以上のアプリケータの相補手段に嵌合できる第１の位置から、嵌合できない第２の位置へ移ることができる。
【００２１】
したがって、第１の位置では１つ以上のアプリケータの少なくとも一部分が１つまたは複数の区画を少なくとも部分的に覆い、第２の位置では１つ以上のアプリケータが１つまたは複数の区画から離れている。
この構造では、好ましくは、１つ以上のアプリケータが第１の位置にあるとき、１つ以上のアプリケータを本体から分離させるための動きが本質的に可能である。第１の位置から第２の位置への移行、およびその逆は、本体が画定する１つまたは複数の区画の開口部を含む平面に垂直な軸を中心とする回転運動により行われる。
【００２２】
ケースが２つのアプリケータを用いている場合には、ユーザは使用するアプリケータを取り出し、塗布しようとする製品を含む区画に自由に接触できるように、もう一方のアプリケータを軸を中心に回転させる。ユーザは第１のアプリケータを用いて製品を塗布する。第１の製品を塗布した後、第１のアプリケータを元の位置に戻し、第２のアプリケータを取り出して、別の区画に収容されている製品を塗布するか、または第１のアプリケータを用いて塗布した製品の明暗の調整を行うことができる。
本発明によるケースは、好適には蓋の内側の表面上に、鏡を有することが好ましい。
【００２３】
上述のように、ケースは２つのアプリケータを備えることができ、両方のアプリケータは本体（または蓋）に着脱可能に連結可能で、それぞれは蓋（または本体）の対応するロック手段と協働できる相補手段を有し、それにより閉止位置でケースを開放可能にロックすることができる。或いは、蓋を本体上にロックするために１つのアプリケータのみ使用することができる。
さらなる代替案として、蓋は、着脱可能に本体に連結されている第１のアプリケータにより形成される相補手段と協働するための第１のロック手段を有し、一方で本体は、蓋に着脱可能に連結されている第２のアプリケータにより形成される相補手段と協働するための第２のロック手段を有することができる。より均整のとれた保持が可能になり、したがって品質が向上する。開く際は、蓋が本体から分離するとき、アプリケータの一方は本体に固定されたままであるが、他方のアプリケータは蓋に付随していく。
【００２４】
１つまたは複数の製品は、本体により規定される１つ以上の区画に配設された１つ以上の容器に収容される。製品は冷たい間、または熱い間に容器に注入してもよく、あるいは圧粉体でもよい。製品はまた、本体により規定される区画内に直接配設することもできる。
ケースが軸Ｘに沿って細長い形状を有するとき、１つ以上のアプリケータは、好ましくはこの軸Ｘに沿った方向に配設される。
１つ以上のアプリケータは、柄を有することができる。該柄は、例えば、平型であって、端部に例えば細いブラシ、発泡体ブロック、太いブラシ、フェルト、またはエラストマー材料でできた塗布要素が形成されている。
【００２５】
上述の特徴の他に、本発明はいくつかの他の条件からなり、それらについて添付の図面を参照する非限定的で例示的な実施例を用いて以下に説明する。
【００２６】
【実施の形態】
図１で示した実施形態によると、ケースは軸Ｘに沿った細長い形状を有する。それは２つの区画３および４を規定する本体２を備える。区画３はアイシャドウを収容する容器５を受けるための区画である。区画４は頬紅を収容する容器６を受けるための区画である。
蓋２０は、フィルムヒンジ２７により本体２に関節結合されている。鏡２１は接着剤で蓋２０の内側の表面に固着されている。
【００２７】
ケースはまた２つのアプリケータ７および８を備える。
アプリケータ７は平型の柄９を備え、その端部にはフロック加工された発泡体のブロック１０が固定されている。アプリケータ７は、容器５に収容されているアイシャドウを塗布するためのものである。
アプリケータ８は平型の柄１１を備え、その端部には細いブラシ１２が固定されている。アプリケータ８は、容器６に収容されている頬紅を塗布するためのものである。
【００２８】
アプリケータ７の柄９の、発泡体ブロック１０とは反対側の端部の近傍には、２つの穴１３および１４が貫通しており、それらはアプリケータ７の長さ方向の軸に沿って並んでいる。
第１の穴１３は、本体２上の、フィルムヒンジ２７から離れた端部の近傍にあるスタッド１５を緊密に受け入れるためにあり、これにより、アプリケータ７はケースの本体２に着脱可能に留められる。
【００２９】
第２の穴１４は、蓋２０の内側の表面上の、フィルムヒンジ２７から離れた端部の近傍にあるスタッド２２を緊密に受けるためにあり、これにより、蓋２０を本体２上にロックするのに寄与し、したがって、ケースの開放可能な閉止に寄与する。アプリケータ７を本体２上に保持する力は、アプリケータ７を蓋２０上に保持する力より大きい。
アプリケータ８の柄１１の、細いブラシ１２とは反対側の端部の近傍には、２つの穴１６および１７が貫通しており、それらはアプリケータ８の長さ方向の軸に沿って並んでいる。
【００３０】
第１の穴１６は、本体２上の、フィルムヒンジ２７から離れた端部の近傍にあるスタッド１６を緊密に受け入れるためにあり、これにより、アプリケータ８はケースの本体２に着脱可能に留められる。スタッド１５および１８は、フィルムヒンジ２７の軸に平行な軸に沿って配設される。
第２の穴１７は、蓋２０の内側の表面上の、フィルムヒンジ２７から離れた端部の近傍にあるスタッド２３を緊密に受けるためにあり、よって、既にアプリケータ７の穴１４とスタッド２２によりある程度行われている蓋２０の本体２上へのロックを完全にする。アプリケータ８を本体２上に保持する力は、アプリケータ８を蓋２０上に保持する力より大きい。
【００３１】
アプリケータ７および８が本体２上の位置に固定されているとき、それらは区画３および４を少なくとも部分的に覆うように伸びている。
使用中、消費者はスタッド２２および２３をアプリケータ７および８のそれぞれの穴１４および１７から解放する。蓋がアプリケータ７および８に保持される力より、アプリケータ７および８が本体２に保持される力が強固であるため、アプリケータは本体２に固定されたままとなる。
次いでユーザは蓋２０をフィルムヒンジ２７により画定される軸を中心に回転させる。
【００３２】
アイシャドウを塗布したい場合には、アプリケータ７を外すために穴１３からスタッド１５を解放しする。次に、区画３および４を十分に利用できるように、アプリケータ８をスタッド１８を中心にして回転させる。その後、蓋２０の内側表面にある鏡２１を用いながら、従来通りアプリケータ７を用いて製品を塗布する。
その後、ユーザはアプリケータ７をスタッド１５上の位置に戻す。
続いて頬紅を塗布したい場合は、アプリケータ８を外すために穴１６からスタッド１８を解放する。次に、区画３および４を十分に利用できるように、ユーザはアプリケータ７をスタッド１５を中心にして回転させる。その後、従来どおりアプリケータ８を用いて製品を塗布する。
【００３３】
或いは、アプリケータ７を元に戻す前に、アプリケータ８を用いてもよい。
使用後、両方のアプリケータ７および８を、長さ方向の軸Ｘに沿った方向にして本体上に正しく戻す。
軸２７を中心にして開けたときとは反対の方向に蓋を回転させ、スタッド２２および２３をそれぞれアプリケータ７および８の穴１４および１７に嵌合させることにより蓋を閉める。ケースを閉止し、ロックする。次に使用するときまで、ユーザのハンドバックの中に戻すことができる。
【００３４】
図２および図３の実施形態は、アプリケータ７および８を本体２に連結させる方法が本質的に前の実施形態とは異なる。
特に、前の実施形態における穴１３および１６の代わりに、アプリケータ７および８の内側の縁に開口するノッチ１３０および１６０が設けられている。
したがって、アプリケータ７および８を、長さ方向の軸に垂直でヒンジ２７に平行な方向に、区画３および４それぞれが規定する開口部の平面内で、スタッド１５および１８がノッチ１３０および１６０の底部と接触するまで移動させることにより、アプリケータ７および８を本体に取り付ける。取り外すときには、アプリケータ７および８を本体２に対して反対の方向に移動させる。
【００３５】
図２のアプリケータ７および８が取り付けられた位置でケースの長さ方向の軸Ｘに沿っているとき、柄９および１１それぞれの平面に垂直な方向に動かしても本体から分離できないように、本体２のヒンジ２７とは離れた端部にそのような動きを防ぐためのリップ１９が形成されている。したがって、ケース１を開けたときにアプリケータ７および８が本体２から外れるという危険性はない。
【００３６】
図２のアプリケータ７および８が、ケースの長さ方向の軸Ｘに沿っていないときにも同じことが言える。これは、一方のアプリケータ８が区画３および４に接触できるようにアプリケータ７をスタッド１５を中心に回転させたとき、リップの存在、および本体２に対するノッチ１３０の向き、特にその開口部の向きのために、アプリケータ７を本体２から外すことはできない。これを図３に非常に明確に示した。
この実施形態によるケースの使用は、これ以外の点は図１の実施形態について開示したものと全て同じである。したがって、繰り返さない。
【００３７】
図４は、アプリケータ７を１本のみ使用する変形形態を示す。スタッド１５は２つの切り詰められた（平らな）側面１５０および１５１を有する。ノッチ１３０は図２および図３の実施形態のような横方向には開いておらず、その代わりに入口／出口通路１３１を介して軸方向に開口している。該通路１３１の幅は、スタッド１５の２つの切り詰められた側面１５０および１５１の間の長さより僅かに広いが、スタッド１５の長い方の（主）軸方向の幅より狭い。入口／出口通路１３１は概ね円形な部分１３２に続き、その部分の直径はスタッド１５の最長部分より僅かに大きい。したがって、スタッド１５の形状に対する入口／出口通路１３１の形状、および本体により形成されるリップ１９の存在により、アプリケータは柄９の面に平行に軸方向に動かすだけで、本体に取り付けることができる。しかし、ひとたび取り付けられると、図３に示したようにアプリケータはスタッド１５を中心に回転することができる。
【００３８】
この構造のために、ケース１を開けたときアプリケータ７が本体２から外れる危険性がない。アプリケータ７がケースの長さ方向の軸Ｘに沿っていないときにも同様である。
図４の変形形態に従って構成されたケース１の操作は、図２および図３に示した実施形態の操作と同じである。したがって、繰り返さない。
【００３９】
前述の詳細な記述では本発明の好適な実施形態を参照した。特許請求の範囲に記載された本発明の精神から逸脱せずに、これらに変形を施すことができることは明らかである。
【図面の簡単な説明】
【図１】  本発明による第1の実施形態の組立分解図である。
【図２】  本発明によるケースの第２の実施形態に関する。
【図３】  本発明によるケースの第２の実施形態に関する。
【図４】  第２の実施形態の変形形態の詳細な図である。
【図１】
0003814583.tif 000002
【図２】
0003814583.tif 000003
【図３】
0003814583.tif 000004
【図４】
0003814583.tif 000005